(57)【要約】【課題】中空型枠パネル内へのコンクリートの流れ込みを防止する中空型枠パネル用キャップおよびキャップ付き中空型枠パネルを提供する。【解決手段】堰板部４２と側板部４３と補強板部４５とを有する中空型枠パネル４０の、開口端面を封止するキャップであって、中空型枠パネル４０の開口端面を覆う平板３１の表面に、堰板部４２の裏面４４に接する第１の当接リブ３３が設けられている中空型枠パネル用キャップ３０であり、好ましくは側板部４３または補強板部４５の表面に接する第２の当接リブ３２と、補強板部４５の中空部に嵌合する嵌合凸部３４と、側板部４３および第１の当接リブ３２を貫通するようにビス打ちした際に第１の当接リブ３２から突出するビスの先端に触れないようにする指触防止リブ３５とがさらに設けられている。【選択図】        図１
2004332520.tif 000002
【特許請求の範囲】
【請求項１】
片面がコンクリート打設面となる堰板部と、堰板部の両側縁から堰板部のコンクリート打設面の反対側に直角に屈曲した側板部と、堰板部のコンクリート打設面の裏面に側板部に平行に設けられた補強板部とを有し、堰板部、側板部および補強板部が、２枚の板と、これら板の間を連結し、鉛直方向に延びる複数の長尺の補強リブとが一体に成形された中空型枠パネルの、開口端面を封止するキャップであって、
中空型枠パネルの開口端面を覆う平板の表面に、中空型枠パネルの堰板部裏面に接する第１の当接リブが設けられていることを特徴とする中空型枠パネル用キャップ。
【請求項２】
中空型枠パネルの開口端面を覆う平板の表面に、中空型枠パネルの側板部表面または補強板部表面に接する第２の当接リブと、補強板部および／または側板部の中空部に嵌合する嵌合凸部とが設けられていることを特徴とする請求項１記載の中空型枠パネル用キャップ。
【請求項３】
側板部および第２の当接リブを貫通するようにビス打ちした際に第２の当接リブから突出するビスの先端に触れないようにする指触防止部材が、平板の表面に設けられていることを特徴とする請求項２記載の中空型枠パネル用キャップ。
【請求項４】
前記指触防止部材が、第２の当接リブに平行に、かつ第２の当接リブから離間して設けられた板状リブであることを特徴とする請求項３記載の中空型枠パネル用キャップ。
【請求項５】
前記指触防止部材が、第２の当接リブに直角に、かつ互いに離間して設けられた２枚の板状リブであることを特徴とする請求項３記載の中空型枠パネル用キャップ。
【請求項６】
前記嵌合凸部が、補強板部および／または側板部の中空部のうち、堰板部から最も遠い中空部に嵌合するように設けられていることを特徴とする請求項２ないし５いずれか一項に記載の中空型枠パネル用キャップ。
【請求項７】
堰板部および第１の当接リブを貫通するようにビス打ちした際に第１の当接リブから突出するビスの先端に触れないようにする指触防止部材が、平板の表面に設けられていることを特徴とする請求項１ないし６いずれか一項に記載の中空型枠パネル用キャップ。
【請求項８】
補強板部および／または側板部の中空部のうち、堰板部に最も近い中空部に嵌合する嵌合凸部が、平板の表面に設けられていることを特徴とする請求項１ないし７いずれか一項に記載の中空型枠パネル用キャップ。
【請求項９】
片面がコンクリート打設面となる堰板部と、堰板部の両側縁から堰板部のコンクリート打設面の反対側に直角に屈曲した側板部と、堰板部のコンクリート打設面の裏面に側板部に平行に設けられた補強板部とを有し、堰板部、側板部および補強板部が、２枚の板と、これら板の間を連結し、鉛直方向に延びる複数の長尺の補強リブとが一体に成形された中空型枠パネルと、
該中空型枠パネルの開口端面に取り付けられた、請求項１ないし８いずれか一項に記載された中空型枠パネル用キャップとを具備することを特徴とするキャップ付き中空型枠パネル。
【請求項１０】
中空型枠パネルの堰板部裏面と、中空型枠パネル用キャップの第１の当接リブとが溶着されていることを特徴とする請求項９記載のキャップ付き中空型枠パネル。
【発明の詳細な説明】
【０００１】
【発明の属する技術分野】
本発明は、中空型枠パネルの開口端面を封止するキャップおよびキャップ付き中空型枠パネルに関する。
【０００２】
【従来の技術】
従来より、コンクリート打設用型枠（以下、「コンクリート型枠」または単に「型枠」と記す）としては、安価で、釘打ち等の加工がしやすいなどの理由から、ベニヤ合板等からなる堰板の裏面に桟木をくぎ打ちした合板型枠が用いられている。
しかしながら、このような合板型枠には、（ｉ）桟木の固定や型枠の連結に釘打ち作業が必要であり、施工性が悪い、（ｉｉ）釘打ちや、堰板の表面に塗布されるコンクリート剥離剤によって型枠が痛みやすく、転用回数が少ない（例えば、５回程度である）、（ｉｉｉ）転用回数を超えたものは、木材としてリサイクルできず、解体して焼却処分するしかない、などの欠点があった。
【０００３】
これらの問題を解決するものとしては、軽量で施工性がよく、リサイクル可能なプラスチック製の中空型枠パネルが提案されている（例えば、特許文献１参照）。
図１０は、従来の中空型枠パネルの一例を示す図であり、この中空型枠パネル１０は、片面がコンクリート打設面１１となる中空の堰板部１２と、堰板部１２の両側縁から堰板部１２のコンクリート打設面１１の反対側に直角に屈曲した中空の側板部１３と、堰板部１２の裏面１４に設けられた、側板部１３に平行な２枚の中空の補強板部１５とを有して概略構成されるものであり、堰板部１２、側板部１３および補強板部１５が、２枚の板１６，１６と、これら板の間を連結する複数の長尺の補強リブ１７とが一体に成形されたものである。
【０００４】
この中空型枠パネル１０の設置（建て込み）については、図１１を参照しながら以下に説明する。
まず、複数の中空型枠パネル１０を側板部１３の外側表面１８同士が接するように一列に並べる。中空型枠パネル１０の堰板部１２に穿設された挿通孔２０に、対向する中空型枠パネル１０を所定の間隔に保つ止め金であるＰコン２１が両端近傍に設けられた丸棒状のセパレータ２２を挿通する。ついで、挿通孔２０から突出したセパレータ２２の端部に、中空型枠パネル１０の裏面１４側からフォームタイ（登録商標）と呼ばれる締付金具２３を螺合により取り付け、セパレータ２２のＰコン２１と締付金具２３基端部の皿板２４との間で堰板部１２を挟み込む。
【０００５】
同様に、コンクリート打設面１１が対向するように複数の中空型枠パネル１０をもう一列並べる。この際に、中空型枠パネル１０の堰板部１２に穿設された挿通孔２０にセパレータ２２を挿通する。ついで、挿通孔２０から突出したセパレータ２２の端部に、中空型枠パネル１０の裏面１４側から締付金具２３を螺合により取り付け、セパレータ２２のＰコン２１と締付金具２３基端部の皿板２４との間で堰板部１２を挟み込むようにして、中空型枠パネル１０を保持する。
【０００６】
さらに、締付金具２３の上下に角パイプからなる一対の横ばた材２５を配置し、これらを支持する座金２６および座金２６を止めるクサビ２７で、横ばた材２５を側板部１３および補強板部１５の側面に当接させた状態で固定する。この横ばた材２５を配設することによって、中空型枠パネル１０が、コンクリート打設時のコンクリートの圧力によって外側に膨らまないようにされている。
【０００７】
中空型枠パネル１０を建て込んだ後、中空型枠パネル１０のコンクリート打設面１１で挟まれた空間に、コンクリートを打設する。しかしながら、中空型枠パネル１０の上端面は開口した状態にあるので、この開口端面から中空型枠パネル１０内にコンクリートが流れ込むという問題があった。
中空型枠パネル１０内にコンクリートが流れ込んでしまうと、中空型枠パネル１０が重くなってしまうばかりでなく、釘打ちや切断加工などを行う際、硬化したコンクリートが邪魔になるという問題が生じてしまう。
【０００８】
【特許文献１】
特開平７−２０７９３０号公報（第２−３頁、図１、図２）
【０００９】
【発明が解決しようとする課題】
よって、本発明の目的は、中空型枠パネル内へのコンクリートの流れ込みを防止する中空型枠パネル用キャップおよびキャップ付き中空型枠パネルを提供することにある。
また、本発明の他の目的は、中空型枠パネルの開口端面にキャップをビス打ちで固定した場合あっても、突出するビスの先端に指が触れることがない中空型枠パネル用キャップおよびキャップ付き中空型枠パネルを提供することにある。
【００１０】
【課題を解決するための手段】
すなわち、本発明の中空型枠パネル用キャップは、片面がコンクリート打設面となる堰板部と、堰板部の両側縁から堰板部のコンクリート打設面の反対側に直角に屈曲した側板部と、堰板部のコンクリート打設面の裏面に側板部に平行に設けられた補強板部とを有し、堰板部、側板部および補強板部が、２枚の板と、これら板の間を連結し、鉛直方向に延びる複数の長尺の補強リブとが一体に成形された中空型枠パネルの、開口端面を封止するキャップであって、中空型枠パネルの開口端面を覆う平板の表面に、中空型枠パネルの堰板部裏面に接する第１の当接リブが設けられていることを特徴とするものである。
ここで、中空型枠パネルの開口端面を覆う平板の表面には、さらに、中空型枠パネルの側板部表面または補強板部表面に接する第２の当接リブと、補強板部および／または側板部の中空部に嵌合する嵌合凸部とが設けられていることが望ましい。
【００１１】
また、本発明の中空型枠パネル用キャップには、側板部および第２の当接リブを貫通するようにビス打ちした際に第２の当接リブから突出するビスの先端に触れないようにする指触防止部材が、平板の表面に設けられていることが望ましい。
また、前記指触防止部材は、第２の当接リブに平行に、かつ第２の当接リブから離間して設けられた板状リブであることが望ましい。
また、前記指触防止部材は、第２の当接リブに直角に、かつ互いに離間して設けられた２枚の板状リブであることが望ましい。
【００１２】
また、前記嵌合凸部は、補強板部および／または側板部の中空部のうち、堰板部から最も遠い中空部に嵌合するように設けられていることが望ましい。
また、堰板部および第１の当接リブを貫通するようにビス打ちした際に第１の当接リブから突出するビスの先端に触れないようにする指触防止部材が、平板の表面に設けられていることが望ましい。
また、本発明の中空型枠パネル用キャップには、補強板部および／または側板部の中空部のうち、堰板部に最も近い中空部に嵌合する嵌合凸部が、平板の表面に設けられていることが望ましい。
【００１３】
また、本発明のキャップ付き中空型枠パネルは、片面がコンクリート打設面となる堰板部と、堰板部の両側縁から堰板部のコンクリート打設面の反対側に直角に屈曲した側板部と、堰板部のコンクリート打設面の裏面に側板部に平行に設けられた補強板部とを有し、堰板部、側板部および補強板部が、２枚の板と、これら板の間を連結し、鉛直方向に延びる複数の長尺の補強リブとが一体に成形された中空型枠パネルと、
該中空型枠パネルの開口端面に取り付けられた、本発明の中空型枠パネル用キャップとを具備することを特徴とするものである。
また、本発明のキャップ付き中空型枠パネルにおいては、中空型枠パネルの堰板部裏面と、中空型枠パネル用キャップの第１の当接リブとが溶着されていることが望ましい。
【００１４】
【発明の実施の形態】
以下、本発明を詳しく説明する。
図１は、本発明のキャップ付き中空型枠パネルの一例を示す図であり、このキャップ付き中空型枠パネルは、中空型枠パネル４０と、中空型枠パネル４０の開口端面に取り付けられた中空型枠パネル用キャップ３０を具備して概略構成されるものである。
ここで、中空型枠パネル４０は、片面がコンクリート打設面４１となる堰板部４２と、堰板部４２の両側縁から堰板部４２のコンクリート打設面４１の反対側に直角に屈曲した側板部４３と、堰板部４２のコンクリート打設面４１の裏面４４に側板部４３に平行に設けられた４枚の補強板部４５とを有するものである。そして、堰板部４２、側板部４３および補強板部４５は、２枚の板４６，４６と、これら板４６の間を連結し、鉛直方向に延びる複数の長尺の補強リブ４７とが一体に成形され、補強リブ４７で仕切られた複数の中空部を有するものである。
【００１５】
図２は、本発明の中空型枠パネル用キャップの一例を示す図であり、この中空型枠パネル用キャップ３０は、中空型枠パネル４０の開口端面を封止するものである。
中空型枠パネル用キャップ３０は、具体的には、中空型枠パネル４０の開口端面を覆う平板３１と、この平板３１の表面に対してそれぞれ直角に設けられた、中空型枠パネル４０の側板部４３表面または補強板部４５表面に接する１０枚の第２の当接リブ３２と、中空型枠パネル４０の堰板部４２の裏面４４に接する５枚の第１の当接リブ３３と、中央の２枚の補強板部４５の中空部に嵌合する２本の嵌合凸部３４と、側板部４３に接する第２の当接リブ３２に平行に、かつ該第２の当接リブ３２から離間して設けられた指触防止リブ３５（指触防止部材）とを有して構成されるものである。
【００１６】
平板３１は、中空型枠パネル４０の開口端面をすべて覆うように、幅方向の長さが側板部４３の幅と同じとされ、長手方向の長さが堰板部４２の幅と同じとされているものである。
【００１７】
第２の当接リブ３２および第１の当接リブ３３は、平板３１を補強して平板３１の撓みを防止するものであり、第１の当接リブ３３の両端に第２の当接リブ３２の片端が接続してコの字形とされている。
また、第２の当接リブ３２は、中空型枠パネル用キャップ３０が中空型枠パネル４０の横方向へずれることを防止するものであり、第１の当接リブ３３は、中空型枠パネル用キャップ３０が中空型枠パネル４０の堰板部４２に向かってずれることを防止するものである。
また、第２の当接リブ３２および第１の当接リブ３３は、堰板部４２、側板部４３または補強板部４５に当接するように設けられており、中空型枠パネル用キャップ３０を中空型枠パネル４０に取り付ける際の位置決めとしての役割も果たすものである。
【００１８】
ここで、第２の当接リブ３２は、補強板部４５に当接するように設けられており、中空型枠パネル用キャップ３０を中空型枠パネル４０に取り付けたとき、補強板部４５を挟み込むことになる。したがって、２枚の第２の当接リブ３２の間に補強板部４５を嵌合させることができる。また、見方を変えれば、側板部４３と補強板部４５との間、または補強板部４５と補強板部４５との間に、コの字形の当接リブが、挟み込まれるようにして嵌合しているともいえる。
また、第２の当接リブ３２の、補強板部４５との当接面には、２枚の第２の当接リブ３２の間への補強板部４５の嵌合をより確実にする凸部３６が設けられている。
【００１９】
嵌合凸部３４は、中空型枠パネル用キャップ３０の横ズレを防止するものであり、中空型枠パネル用キャップ３０を中空型枠パネル４０に取り付ける際の位置決めとしての役割を果たすものである。
この嵌合凸部３４は、補強板部４５の中空部のうち、堰板部４２から最も遠い中空部に嵌合するように設けられている。
【００２０】
指触防止リブ３５は、図３に示すように、中空型枠パネル用キャップ３０を中空型枠パネル４０に固定するために、側板部４３および第２の当接リブ３２を貫通するようにビス５０（ネジ、釘）を打った際、第２の当接リブ３２から突出するビス５０の先端に指が触れないように、ビス５０の先端を隠すものである。
指触防止リブ３５と第２の当接リブ３２との隙間は、指が入り込まない程度であればよく、具体的には、１０ｍｍ以下とすればよい。
【００２１】
中空型枠パネル用キャップ３０は、例えば、プラスチック材料の射出成形等によって製造されるものである。
プラスチック材料としては、例えば、ポリプロピレン、ポリエチレンテレフタレート（ＰＥＴ）、ポリカーボネート、ポリ塩化ビニル、ポリエチレン、ＡＢＳ樹脂、ナイロンなどが挙げられる。
また、中空型枠パネル４０は、例えば、プラスチック材料の押出成形等によって製造されるものである。
プラスチック材料としては、例えば、ポリプロピレン、ポリエチレンテレフタレート（ＰＥＴ）、ポリカーボネート、ポリ塩化ビニル、ポリエチレン、ＡＢＳ樹脂、ナイロンなどが挙げられる。
【００２２】
以上説明したような中空型枠パネル用キャップ３０にあっては、中空型枠パネル４０の開口端面を覆う平板３１の表面に、中空型枠パネル４０の側板部４３表面または補強板部４５表面に接する第２の当接リブ３２と、中空型枠パネル４０の堰板部４２の裏面４４に接する第１の当接リブ３３と、補強板部４５の中空部に嵌合する嵌合凸部３４とを有しているので、２枚の第２の当接リブ３２の間に補強板部４５を嵌合させ、かつ補強板部４５の中空部に嵌合凸部３４を嵌合させた状態で、横ズレなく、中空型枠パネル４０の開口端面を封止することができる。よって、中空型枠パネル４０内へのコンクリートの流れ込みを防止することができる。
【００２３】
また、中空型枠パネル用キャップ３０にあっては、側板部４３に接する第２の当接リブ３２に平行に、かつ該第２の当接リブ３２から離間して、平板３１表面に指触防止リブ３５が設けられているので、中空型枠パネル用キャップ３０を中空型枠パネル４０に固定するために、側板部４３および第２の当接リブ３２を貫通するようにビス５０を打った場合であっても、突出するビス５０の先端に指が触れることがない。
また、嵌合凸部３４が、補強板部４５の中空部のうち、堰板部４２から最も遠い中空部に嵌合するように設けられているので、図３に示すように、補強板部４５の側面から嵌合凸部３４にビス５１を打ち込むことによって、中空型枠パネル用キャップ３０を中空型枠パネル４０に隙間なく、より確実に固定することができる。
【００２４】
また、平板３１が、中空型枠パネル４０の開口端面をすべて覆うように、幅方向の長さが側板部４３の幅と同じとされ、長手方向の長さが堰板部４２の幅と同じとされているので、中空型枠パネル４０の開口端面、特に角部が補強され、角部の損傷が防止される。
また、従来の型枠を建て込む際には、コンクリートスラブ面に水平に固定された敷き桟への型枠の固定のために、および天井スラブ型枠または梁下型枠への型枠の固定のために、型枠の上下端に横桟木が取り付けられる。しかしながら、本発明のように堰板と縦桟木（補強板部）が一体化された中空型枠パネルにおいては、横桟木の取付のため、縦桟木の両端を横桟木の厚み分だけ切り欠く必要があった。本発明のキャップを用いれば、縦桟木の切り欠き加工を必要とせず、中空型枠パネル４０の開口端面にキャップを取り付けるだけで、該キャップが横桟木の役割を果たす。
【００２５】
なお、本発明の中空型枠パネル用キャップは、図１〜図３のものに限定はされず、中空型枠パネル内へのコンクリートの流れ込みを防止するためには、図４に示すような、中空型枠パネルの開口端面を覆う平板３１の表面に、少なくとも、中空型枠パネル４０の堰板部４２の裏面４４に接する第１の当接リブ３３が設けられているものであればよい。ただし、中空型枠パネル用キャップを横ズレなく、確実に中空型枠パネルに取り付けるためには、中空型枠パネルの開口端面を覆う平板の表面に、少なくとも、中空型枠パネルの側板部表面または補強板部表面に接する第２の当接リブと、中空型枠パネルの堰板部裏面に接する第１の当接リブと、補強板部の中空部に嵌合する嵌合凸部とが設けられているものが好ましい。
【００２６】
また、本発明の中空型枠パネル用キャップには、例えば図５および図６に示すように、補強板部４５の中空部のうち、堰板部４２に最も近い中空部に嵌合する第２の嵌合凸部３７が、平板３１の表面に設けられていてもよい。第２の嵌合凸部３７が設けられていれば、図５に示すように、堰板部４２のコンクリート打設面４１から第２の嵌合凸部３７にビス５２を打ち込むことができ、中空型枠パネル用キャップ３０を中空型枠パネル４０に隙間なく、より確実に固定することができる。また、第２の嵌合凸部３７の代わりに、堰板部４２の中空部に嵌合する嵌合凸部を設けてもよい。
【００２７】
また、本発明における指触防止部材は、図７に示すように、第２の当接リブ３２に直角に、かつ互いに離間して設けられた２枚の指触防止リブ３８であってもよい。２枚の指触防止リブ３８の間の隙間は、好ましくは１０ｍｍ以下である。また、本発明の中空型枠パネル用キャップには、例えば図８に示すように、堰板部４２および第１の当接リブ３３を貫通するようにビス５３を打った際に第１の当接リブ３３から突出するビス５３の先端に指が触れないようにする第２の指触防止リブ３９（指触防止部材）が、平板３１の表面に設けられていてもよい。
【００２８】
また、中空型枠パネル４０の開口端面への中空型枠パネル用キャップ３０の固定は、上述のようなビス止めには限定されず、超音波ウエルダー、高周波ウエルダー等による溶着や、接着剤による接着によって行っても構わない。例えば、超音波ウエルダーによる溶着の場合、図９に示すように、中空型枠パネル４０の開口端面に中空型枠パネル用キャップ３０を取り付けた状態で、中空型枠パネル用キャップ３０の第１の当接リブ３３に超音波ウエルダーのホーン６０を当て、ここから第１の当接リブ３３に超音波振動エネルギーと圧力を与えることによって、第１の当接リブ３３と堰板部４２の裏面４４との境界面に摩擦熱を発生させ、第１の当接リブ３３と堰板部４２の裏面４４とを溶融させ、これにより、第１の当接リブ３３と堰板部４２の裏面４４とを瞬時に溶着することができる。
この場合の、中空型枠パネル用キャップは、図４に示すような、中空型枠パネルの開口端面を覆う平板３１の表面に、中空型枠パネル４０の堰板部４２の裏面４４に接する第１の当接リブ３３が設けられているものであればよい。
【００２９】
本発明の中空型枠パネル用キャップの材質は、プラスチックに限定はされず、金属、木材、セラミックス等であっても構わない。ただし、リサイクルの点で中空型枠パネルと同じ材質、特にプラスチック材料であることが好ましい。
【００３０】
【発明の効果】
以上説明したように、本発明の中空型枠パネル用キャップは、片面がコンクリート打設面となる堰板部と、堰板部の両側縁から堰板部のコンクリート打設面の反対側に直角に屈曲した側板部と、堰板部のコンクリート打設面の裏面に側板部に平行に設けられた補強板部とを有し、堰板部、側板部および補強板部が、２枚の板と、これら板の間を連結し、鉛直方向に延びる複数の長尺の補強リブとが一体に成形された中空型枠パネルの、開口端面を封止するキャップであって、中空型枠パネルの開口端面を覆う平板の表面に、中空型枠パネルの堰板部裏面に接する第１の当接リブが設けられているので、中空型枠パネル内へのコンクリートの流れ込みを防止することができる。
また、本発明の中空型枠パネル用キャップは、中空型枠パネルの開口端面を覆う平板の表面に、さらに、中空型枠パネルの側板部表面または補強板部表面に接する第２の当接リブと、補強板部および／または側板部の中空部に嵌合する嵌合凸部とが設けられているものであれば、横ズレなく、確実に中空型枠パネルに取り付けることができる。
【００３１】
また、側板部および第２の当接リブを貫通するようにビス打ちした際に第２の当接リブから突出するビスの先端に触れないようにする指触防止部材が、平板の表面に設けられていれば、中空型枠パネルにキャップをビス打ちで固定した場合あっても、突出するビスの先端に指が触れることがない。
また、堰板部および第１の当接リブを貫通するようにビス打ちした際に第１の当接リブから突出するビスの先端に触れないようにする指触防止部材が、平板の表面に設けられていれば、中空型枠パネルにキャップをビス打ちで固定した場合あっても、突出するビスの先端に指が触れることがない。
【００３２】
また、前記嵌合凸部が、補強板部および／または側板部の中空部のうち、堰板部から最も遠い中空部に嵌合するように設けられていれば、補強板部および／または側板部の側面から嵌合凸部にビスを打ち込むことによって、中空型枠パネル用キャップを中空型枠パネルに隙間なく、より確実に固定することができる。
また、補強板部および／または側板部の中空部のうち、堰板部に最も近い中空部に嵌合する嵌合凸部が、平板の表面に設けられていれば、堰板部のコンクリート打設面から嵌合凸部にビスを打ち込むことによって、中空型枠パネル用キャップを中空型枠パネルに隙間なく、より確実に固定することができる。
【００３３】
また、本発明のキャップ付き中空型枠パネルは、中空型枠パネルと、該中空型枠パネルの開口端面に取り付けられた、本発明の中空型枠パネル用キャップとを具備するものであるので、中空型枠パネル内へのコンクリートが流れ込むことがない。
【図面の簡単な説明】
【図１】本発明の中空型枠パネル用キャップおよびこれが取り付けられる中空型枠パネルの一例を示す斜視図である。
【図２】図１の中空型枠パネル用キャップの下面図である。
【図３】図２のキャップを中空型枠パネルにビス打ちで固定した様子を示す断面図である。
【図４】本発明の中空型枠パネル用キャップの他の例を示す下面図である。
【図５】本発明の中空型枠パネル用キャップの他の例を示す下面図である。
【図６】図５のキャップを中空型枠パネルにビス打ちで固定した様子を示す断面図である。
【図７】本発明の中空型枠パネル用キャップの他の例、およびこのキャップを中空型枠パネルにビス打ちで固定した様子を示す断面図である。
【図８】本発明の中空型枠パネル用キャップの他の例、およびこのキャップを中空型枠パネルにビス打ちで固定した様子を示す断面図である。
【図９】超音波ウエルダーによって中空型枠パネル用キャップと中空型枠パネルとを溶着する様子を示す断面図である。
【図１０】従来の中空型枠パネルの一例を示す斜視図である。
【図１１】従来の中空型枠パネルの建て込み構造の一例を示す斜視図である。
【符号の説明】
３０  中空型枠パネル用キャップ
３１  平板
３２  第２の当接リブ
３３  第１の当接リブ
３４  嵌合凸部
３５  指触防止リブ（指触防止部材）
３７  第２の嵌合凸部
３８  指触防止リブ（指触防止部材）
３９  第２の指触防止リブ（指触防止部材）
４０  中空型枠パネル
４１  コンクリート打設面
４２  堰板部
４３  側板部
４４  裏面
４５  補強板部
４６  板
４７  補強リブ
【図１】
2004332520.tif 000003
【図２】
2004332520.tif 000004
【図３】
2004332520.tif 000005
【図４】
2004332520.tif 000006
【図５】
2004332520.tif 000007
【図６】
2004332520.tif 000008
【図７】
2004332520.tif 000009
【図８】
2004332520.tif 000010
【図９】
2004332520.tif 000011
【図１０】
2004332520.tif 000012
【図１１】
2004332520.tif 000013